(57)【要約】      （修正有）【課題】正状態において同一構造のラックを積み重ねて使用出来、不要時には、入れ子式収納保管が可能なラックであって、同一構造のラックを正逆積み重ねして使用する場合、別途金具が必要となり、急な対応が不可能であり部材保管や装着の手間も要した。【解決手段】ラック同士を入れ子式に収納するため、関連寸法間の要件を満足させ、ネスティング時の水平保管を可能にすると共に、積み重ねを可能にするための突起９、凹み部１２による前面部積み重ねを、後柱２下部を背面上梁正面３ａに接地させ背面部の積み重ねを可能にし、更に、逆使用と正逆積み重ねを可能にするため逆使用脚と逆立・嵌合兼用脚の部材間の干渉を防止し、正逆積み重ね用突起と逆立・嵌合兼用脚との部材間嵌合を可能にする配置と組み合わせを行い、正・逆・正逆積み重ねの３形態を一切金具を使用せずラックＲ単独で使用可能にする。【選択図】図１
2012062132.tif 000002
【特許請求の範囲】
【請求項１】
同一構造のラックを正立・逆立いずれでも積み重ねて使用出来また、不要時には、入れ子式収納保管が可能なラックであって、一切他の金具等使用することなく正逆積み重ね可能な下記の基本構造および（１）〜（５）の要件を具備する入れ子式ラック
本発明の入れ子式ラックの基本構造は、前後４隅に柱を配置し、柱最下面から少し上部に井桁状の積載床を取り付け４隅の柱材を結合すると共に、柱材上部には左右後柱上端部間に背面上梁を、また、前柱背面寄りから背面上梁に亘ってサイド上梁が架設されことにより主要骨組みが形成されている。前記基本構造を基に本発明の細部の要件を列記する。
（１）同一構造のラックの入れ子式収納保管を可能にするため次の要件を満足すること。
（１）−１ 前柱の内法間寸法およびサイド上梁内法間寸法を後柱外法間寸法および積載床幅寸法より大きくする。
（１）−２  入れ子式保管したとき上段のラックを水平に保つためにラック前面部側に水平保管を可能にする部品を設けていること。この水平に保つ部品は、前柱の背面側サイド上梁の下側、または、サイド上梁前面寄り上面のいずれかに設ける。なお、ラック背面部は、積載床の上面に後柱の下端面が接地するので特に考慮しなくても良い。
（２）同一構造のラックの積み重ね保管を可能にするため次の条件を満足すること。
（２）−１  左右前柱上端部には、積み重ね用突起を設け、前柱下端面には、積み重ね用突起が嵌合する凹み部を設ける。
（２）−２  背面部には、左右の後柱の上端部間に背面上梁を設け、背面上梁上面水平位置は、積み重ねた時にラックの水平を確保するため、前柱上面積み重ね突起の水平面と同一水平面上にあること。同一水平面が確保出来ない場合は、背面上梁に高さ調整部材を敷設するなどして対応しても良い。
（２）−３  背面上梁の両端部付近外面には、積み重ね時の位置決めや移動止めのためのストッパーを設けていること。
（３）ラックを正立状態で使用し、フォークリフト等の荷役設備を使用して搬送するため、積載床下面と前後柱の下端面間に適切な空間が確保されていること。、
（４）ラックを上下逆にして使用する、いわゆる逆使用するため、サイド上梁上面若しくは、サイド上梁と背面上梁上面に逆使用時土間面等と接地する脚をラックの左右に補助的な役割の脚を除き最低２ヶ処宛（１台分最低４ヶ処となる。）設ける。
（５）正状態のラックの上段に逆状態の同一構造のラックを一切他の金具を使用することなく安定的に積み重ねるため次の要件を満足すること。
（５）−１  前項（４）の逆立用の脚は、正逆積み重ね時に互いに干渉しない位置に取り付ける。
（５）−２  サイド上梁の上面、または、サイド上梁と背面上梁の上面に正逆積み重ね用突起を１台分最低２ヶ処（必ずしも片側１ヶ処の必要はない。）取り付ける。
（５）−３  逆立用脚のうち前項突起に相当する分（最低2ヶ処）は、突起が嵌り込む凹み部を有し、これを逆立・嵌合兼用脚とする。この逆立・嵌合兼用脚と前項の突起は、ラックの幅方向の中心線に対し対称位置に相対して取り付け、正逆積み重ね時、逆立・嵌合兼用脚と突起が嵌り込むよう位置設定を行っていること。
（５）−４  逆立・嵌合兼用脚および逆立用脚の高さは、特に規定しないが、最低高さは、前柱の積み重ね用嵌合突起突き出し高さの２倍から同脚に嵌合する突起１ヶ分の板厚を、差し引いた寸法である。（１）−２項のラックを入れ子式保管する際の水平保管を可能にする部品をサイド上梁の上面に取り付ける場合、逆立・嵌合兼用脚および逆立用脚がこの水平保管の役割を果たし、入れ子式収納保管時の高さ方向のせり上がり寸法に等しい高さに設定する。
【発明の詳細な説明】
【技術分野】
【０００１】
本発明は、保管用ラックとして使用するとき、正逆いずれの状態でも同一構造のラックを積み重ねることができ、不使用時には、正・逆いずれの状態でも入れ子にすることができ、更に、正立状態のラックの上に一切他の補助金具等を使用しないで同一構造の別のラックを上下逆にして安定的に積み重ねることができ、以てラックを新規に購入することなく同一構造ラックで保管出来る商品の高さに柔軟に対応できる多用途ラックに関する。
【背景技術】
【０００２】
この種のラックとしては、例えば下記特許文献１に記載のものがある。このラックは、正立状態でも積み重ねて使用することが出来、不要なとき入れ子式保管状態にして保管することが可能なラックであり、その他ブリッジ掛けして使用できるなど多様に使用でき、更に別途積み重ね用金具を使用して正逆積み重ねが可能である。
【先行技術文献】
【特許文献】
【０００３】
【特許文献１】特願2008-205232
【発明の概要】
【発明が解決しようとする課題】
【０００４】
特許文献１のラックは、正立状態のラックに逆立状態のラックを積み重ねる（以下、「単に正逆積み重ね」という。）場合、専用の積み重ね金具を必要とするため、急な正逆積み重ねに対応する為には、常にこの積み重ね金具をそろえておく必要があり、また、正逆積み重ねには、上記した金具の装着等に手間がかかるなど問題が有った。さらに、特許文献１のラックは、逆状態での使用には対応していないため、正逆積み重ね使用時の上段部積載床の保管スペースに幅寸法に対する制限があった。
【０００５】
本発明のラックは、同一構造のラックで正・逆いずれの状態でも積み重ねが出来、不要なとき入れ子式に保管できるラックであり、一切他の金具等を使用することなく正状態のラックを下段とし逆状態のラックを上段とした安定的な積み重ねを可能にするラックを提供することにある。正逆積み重ねを可能にする目的は、正逆積み重ねによって生み出される飛躍的に高い保管空間により、製作や輸送に手間やコストがかかる背高のラックを製作せず低コストで汎用性の広い正・逆・正逆積み重ね可能ラックによって対応することが出来ることにある。
【課題を解決するための手段】
【０００６】
同一構造のラックを正立・逆立いずれでも積み重ねて使用出来また、不要時には、入れ子式収納保管が可能なラックであって、一切他の金具等使用することなく正逆積み重ね可能な下記の基本構造および（１）〜（５）の要件を具備する入れ子式ラック
本発明の入れ子式ラックの基本構造は、前後４隅に柱１，２を配置し、柱最下面から少し上部に井桁状の積載床２４を取り付け４隅の柱材を結合すると共に、柱材上部には左右後柱上端部間に背面上梁３を、また、前柱背面寄りから背面上梁に亘ってサイド上梁４が架設されことにより主要骨組みが形成されている。前記基本構造を基に本発明の細部の要件を列記する。
（１）同一構造のラックの入れ子式収納保管を可能にするため次の要件を満足すること。
（１）−１ 前柱１の内法間寸法およびサイド上梁４内法間寸法を後柱２外法間寸法および積載床２４幅寸法より大きくする。
（１）−２  入れ子式保管したとき上段のラックを水平に保つためにラック前面部側に水平保管を可能にする部品を設けていること。この水平に保つ部品は、前柱の背面側サイド上梁の下側、または、サイド上梁前面寄り上面のいずれかに設ける。なお、ラック背面部は、積載床２４の上面に後柱の下端面が接地するので特に考慮しなくても良い。
【０００７】
（２）同一構造のラックの積み重ね保管を可能にするため次の条件を満足すること。
（２）−１  左右前柱１上端部には、積み重ね用突起９を設け、前柱下端面には、積み重ね用突起９が嵌合する凹み部１２を設ける。
（２）−２  背面部には、左右の後柱２の上端部間に背面上梁３を設け、背面上梁上面３ａの水平位置は、積み重ねた時にラックの水平を確保するため、前柱上面積み重ね突起９の水平面７と同一水平面上にあること。同一水平面が確保出来ない場合は、背面上梁上面３ａに高さ調整部材を敷設するなどして対応しても良い。
（２）−３  背面上梁３の両端部付近外面には、積み重ね時の位置決めや移動止めのためのストッパー１１を設けていること。
【０００８】
（３）ラックを正立状態で使用し、フォークリフト等の荷役設備を使用して搬送するため、積載床下面と前後柱の下端面間に適切な空間Ｆが確保されていること。
【０００９】
（４）ラックを上下逆にして使用する、いわゆる逆使用するため、サイド上梁上面４ａ若しくは、サイド上梁上面４ａと背面上梁上面３ａに逆使用時土間面等と接地する脚１３または、１３ａをラックの左右に補助的な役割の脚１８Ｒ，１８Ｌを除き最低２ヶ処宛（１台分最低４ヶ処となる。）設ける。
【００１０】
（５）正状態のラックの上段に逆状態の同一構造のラックを一切他の金具を使用することなく安定的に積み重ねるため次の要件を満足すること。
（５）−１  前項（４）の逆立用の脚１３または、１３ａは、正逆積み重ね時に互いに干渉しない位置に取り付ける。
（５）−２  サイド上梁４の上面、または、サイド上梁４と背面上梁３の上面に正逆積み重ね用突起９ａを１台分最低２ヶ処（必ずしも片側１ヶ処の必要はない。）取り付ける。
（５）−３  逆立用脚のうち２ヶ処分は、前項の突起９ａが嵌り込む凹み部を有し、これを逆立・嵌合兼用脚１３とする。この逆立・嵌合兼用脚１３と前項の突起９ａは、ラックの幅方向の中心線に対し対称位置に相対して取り付け、正逆積み重ね時、逆立・嵌合兼用脚１３と突起９ａが嵌り込むよう位置設定を行っていること。
（５）−４  逆立・嵌合兼用脚１３および逆立用脚１３ａの高さは、特に規定しないが最低高さは、前柱の積み重ね用突起突き出し高さの２倍から同脚に嵌合する突起９ａの１ヶ分の板厚を、差し引いた寸法である。（１）−２項のラックを入れ子式保管する際の水平保管を可能にする部品をサイド上梁４の上面４ａに取り付ける場合、逆立・嵌合兼用脚１３および逆立用脚１３ａがこの水平保管の役割を果たし、入れ子式収納保管時の高さ方向のせり上がり寸法Ｐに等しい高さに設定する。
【発明の効果】
【００１１】
物流倉庫等で物品の保管に使用される移動式ラックは、一般的に（１）正立状態で使用するもの（２）逆立状態で使用するもの  に分類され、それぞれ専用タイプが供給されている。本発明のラックＲは、単独で上記２つの使用方法だけでなく、同一構造のラックにおいて正逆積み重ねを可能にすることで、保管商品の形状寸法の大幅な変化により不要となるラックや付属金具などを保有することなく、また、正逆積み重ね時付属金具の装着等の手間を要することなく、保管商品の多角的対応が可能となる。
【発明を実施するための形態】
【００１２】
以下に本発明の最適な一実施形態を図面に基づいて説明する。図１は、本考案に係る入れ子式ラックＲを示す等角図である。図２の（ａ）は、図１のＸ−Ｘ断面図、（ｂ）は、ラックＲの平面図、図３の（ａ）は、ラックＲの正面図、（ｂ）は、ラックＲの背面図である。図４の（ａ）は、ラックＲの左側面図、（ｂ）は、ラックＲの右側面図である。
【００１３】
図５（ａ）は、図４（ｂ）の矢印Ｃで示す部分の拡大図、（ｂ）は、正面図、（ｃ）は、平面図である。図５（ｄ）は、図４（ａ）の矢印Ａで示す部分の拡大図、（ｅ）は、正面図、（ｆ）は、平面図である。
【００１４】
図６（ａ）は、図３（ｂ）矢印Ｅで示す部分の拡大図、（ｂ）は、側面図、（ｃ）は、平面図である。図６（ｄ）は、図３矢印Ｆに示す部分の拡大図であり、（ｅ）は、側面図、（ｆ）は、平面図である。
【００１５】
図７（ａ）は、図３矢印Ｇで示す部分の拡大図であり、（ｂ）は、側面図（ｃ）は、平面図である。
【００１６】
図１において、２５，２５は、左右の前柱構造、２，２は、左右の後柱、２４は、４本の左右の柱１、１、２、２の下端側に設けられた格子状の積載床を、３は、左右の後柱２，２の上端面に亘って架設された背面上梁、４、４は、前柱構造２５の上端部と背面上梁３とに架設されたサイド上梁である。
【００１７】
前記した様に２４は、積載床であり、周辺材である前面下梁５、サイド梁１５、１５、背面下梁６と井桁を構成する中横梁１６及び中縦梁１７の組み合わせからなり、本発明のラックＲは、正逆いずれでも使用可能であるため積載床２４の上水平面・下水平面は、共に保管商品の積載面となるので同一にすることが必須となり、それぞれ上下同じ断面形状を有する角形鋼管で構成される。
【００１８】
また、２５は、前柱構造であり、本発明の実施の１形態では、前柱１の上端部に積み重ね用突起９と、上端部背面側にネスティングスペーサー１０が取り付けられている。前柱１の下端部は、積み重ね用突起９が嵌合する凹み部１２をもつ。ネスティングスペーサー１０については、後で詳述する。
【００１９】
以上が本発明の全体を示す図面とその概略の構成要素であるが、以下、本発明のラックが持つ機能別に実施形態について詳述する。
まず、本発明のラックは、入れ子式に収納保管が可能なラック（以下入れ子式に収納保管が可能なラックのことをネスティングラックという。ここでネスティングとは、”入れ子にすること”を意味する英語である。）であるから、最初にネスティングを可能にする必須条件を示す。図１３は、本発明のラック２台をネスティングしたときの等角図である。このようにネスティングすることで不要時コンパクトに収納保管できるのがネスティング式ラックＲの最大の特長点である。
【００２０】
ラックＲをネスティング出来るようにするためには、図１及び図２、図３に示す左右の前柱１の内法間隔をＷとし、後柱２間隔をＷ２とすれば、Ｗ＞Ｗ２であり、積載床２４の幅をＷ１とすれば、Ｗ＞Ｗ１となる。また、サイド上梁４の内法間隔Ｗ４は、Ｗ４＞Ｗ１であり、これらの条件は、ラックＲが同一構造の他のラックＲを入れ子式に収納保管するための寸法的必須条件である。
【００２１】
図１、図１３に示すＰは、入れ子式収納したときの高さ（垂直）方向の積み重ねピッチ寸法である。正・逆いずれでも使用可能なラックの場合、入れ子式収納保管時において前面部は、図１３の矢印Ｇで示す部分、即ち上段ラックの前柱下面が積載床２４に着地出来ないため、図１３の範囲Ｍに示す様に前柱上面部付近にこのＰ寸法を確保する部品が必要となる。この役割を果たすのがネスティングスペーサー１０で、図８は前面上部における正立状態でネスティングしたときの状態を示している。図８（ａ）は、右側側面上部、（ｂ）は、左側側面上部を示している。
【００２２】
図８（ａ）（ｂ）に示す様に、ネスティングスペーサー１０の下面は、積み重ね用突起９ａがはまり込む凹み部１４を有しているため入れ子式収納時外部荷重等による崩落しにくくなり安定的に収納保管できる。本実施形態においては、これがネスティング時の水平を確保するための必須条件であるが、この方式が後述する様に唯一の方法ではない。
【００２３】
次に、本発明のラックの積み重ねについてその実施形態を説明する。図１２は、同一構造のラックＲを２段積みにした時の等角図である。本発明のラックＲの前面部における積み重ね部は、前柱上部の積み重ね用突起９を上段に来るラックＲの前柱下面の凹み部１２とによって形成され、この突起９は、本発明の実施形態では、半球状突起であり、その形状的特長により位置決めや移動止めが確保される。
【００２４】
背面部における積み重ね部の形態は、上段のラックＲの背面柱２の下面が下段の背面上梁３の上面３ａの図１の２６に示す部分に着地し、ストッパー１１及び逆立用脚１３ａにより移動止めが実施される。
【００２５】
次に上下逆にして使用する、いわゆる逆使用時における等角図を図１７に示す。ここでは、逆使用を可能にするための実施形態を図１、図４、図５で説明する。図はいずれも正状態で示している。特許文献１によれば、逆使用時は、サイド上梁４の正立状態での上面高さを積み重ね突起９の頂上より高く設定し、その面即ちサイド上梁上面で着地させ、逆立用として脚を設けないのが一般的である。
【００２６】
しかし、前記した特許文献１の方法であれば、正逆積み重ね時、補助的な金具を必要とし、金具なしでは安定的な積み重ねが確保されない。本発明では、図４、図５に示す様に、サイド上梁４の上面４ａを積み重ね突起９の水平面７と略等しい高さとし、サイド上梁上面４ａ上に逆使用時用脚１３、１３ａ、１８Ｒ、１８Ｌを取り付ける。逆使用脚の符号が４種類あるのは、それぞれの役割の違いがあり区別を明確にする為便宜上変えている。
【００２７】
符号別に逆使用脚を説明すると１３は、正逆積み重ね時に突起９ａと嵌め合いも兼ねる逆立・嵌合兼用脚であり、１３ａは、逆使用時専用脚としてのみ使用する。また、１８Ｒ，１８Ｌは、いわゆる補助脚で逆使用時前面部付近に取り付けられ上部の積載荷重の支持位置（接地部）を可能な限り前寄りにし、逆使用時における上部荷重負荷時の安定化向上を目的とし左右ほぼ対称位置に取り付けることを必要とするため正逆積み重ね時に干渉しない様形状設計されている。この補助脚１８Ｒ，１８Ｌは、必須のものでないが取り付けることが望ましいものと考えられる。
【００２８】
図１０は、補助脚を必要とすることを示す説明図であり、（ａ）は、右側面サイド上梁４に補助脚１８Ｒを取り付けない場合の状態を示している。（ｂ）は、本発明の実施形態である。図からも解る様に荷重支持位置までの距離（同図（ａ）のケースでのＬ，同（ｂ）ケースでのＬ１においてＬ＞Ｌｌ）を小さし積載荷重の重心が大きく前方に偏った場合などの安定支持を得るため荷重支点を少しでも前方にすることを目的としている。図中の  ▼、▲  印は、それぞれ上部荷重、支持点をまた、「Ｔ」は、上部荷重を示している。
【００２９】
本発明における逆立用補助脚１８Ｒ，１８Ｌの実施の形態は、図１１（ａ）に示す。同図の上側の図面はラック前上面左側を、下側の図面は同右側を示す平面図である。図のハッチィング部で示す部材が１８Ｌ，１８Ｒの断面形状で、図の様に１８Ｒ，１８Ｌ共、同一断面形状ではあるが取り付け位置及び方向を変えることにより、勝手反対となり種別が発生する。同図（ｂ）は正逆積み重ねた場合の１８Ｒ，１８Ｌの関係を示す平面図であるが、図に示す様に正逆積み重ねた場合に互いに干渉しない様に工夫し、且つ荷重支持点が前面に近づける様考慮している。
【００３０】
背面側における逆使用時脚１３，１３ａについては、図１、図２（ｂ）、図４に、ストッパー１１については、図１、図２（ｂ）、図３、図６にそれぞれの位置関係を示す。
【００３１】
背面側左右の逆立脚１３、１３ａの位置は、正逆積み重ね時に干渉しない位置に取り付けられている。ストッパー１１は、その機能を果たすためには、本来後柱とラック幅方向同位置に付け、積み重ね時後柱をストッパーにより止める様にするのが一般的であるが、本来の位置では、正逆積み重ね時にストッパー同士が干渉をすることになるため、どちらか片方のラック中心よりに位置をずらせて配置している。このストッパーの位置移動のためストッパーとしての機能が果たせなくなるため、図３、図７（ａ）（ｃ）に示す用にスッパー当て部材１９が配置されている
【００３２】
実施形態により、逆立脚１３，１３ａの高さがネスティング高さピッチ寸法Ｐに等しいときは、ストッパー１１は、図１６（ｄ）に示すように、ストッパーの高さ寸法を小さくしても機能を満足できるため、この位置移動を実施する必要がない。
【００３３】
次に正逆積み重ね時においてそれを可能にする実施形態について図を用いて示す。図１４は、本発明の同一構造のラックＲを正逆積み重ねた時の等角図であり、図１５は、図１４に示す正逆積み重ね直前の様子を示す等角図である。図１に示す様な同一構造ラックＲ同士を図１４、図１５示す様に、正逆積み重ねによって生み出される飛躍的に高い保管空間により、製作や輸送に手間やコストがかかる背高のラックを製作せず低コストで汎用性の広い正・逆・正逆積み重ね可能ラックによって対応することが出来る。
【００３４】
正逆積み重ねると、右側のサイド上梁を例にとると右側のサイド上梁上面に、左側のサイド上梁を上下逆にして重ねることになる。図９（ａ）は、右側面上部に於ける正逆積み重ね積み重ねる直前の拡大側立面図であり、（ｂ）は、積み重ね完了後の右側面前面上部の拡大側立面図である。図に示す様に、前柱上部の積み重ね突起９を除き、脚部材１３と１３ａは一切干渉することなく配置する必要があり、正逆積み重ね時にずれ止めとなる逆・嵌合兼用脚１３と嵌合突起９ａは、ラックＲ中心線を対称軸として相対する位置に配置することが求められる。１３，１３ａは、逆用の上部荷重支持する脚としての機能を持つので、可能な限りラックの前後外寄りに取り付ける必要がある。なお、補助脚１８Ｒ，１８Ｌについては、前述したのでここでは省略する。
【００３５】
図９（ｂ）のＳは、正逆積み重ね時のサイド上梁上面間のスペースを意味し、前柱上面の積み重ね突起９の凸部の高さの２倍が最小寸法となるが、（ｂ）図に示す実施形態は、Ｓが最小寸法の場合を示す。
【００３６】
図１６は、Ｓ寸法が、Ｆと等しくした時実施形態を示す。（ａ）は、ネスティング状態における左側面上部拡大図、（ｂ）は、正逆積み重ねた時の右前側面上部の拡大図、（ｃ）は、単独状態での背面視右上部立面拡大図、（ｄ）は、正逆積み重ねた時の背面視右上部立面拡大図である。
【００３７】
図１６の（ａ）（ｂ）示す様に、逆立用脚類１３、１３ａがネスティングスペーサーを兼用するためネスティングスペーサー１０（図で２点鎖線で示す部材）が不要となり、また、図１６（ｃ）（ｄ）に示す様にストッパー１１の高さを低く設定してもストッパーとしての機能を果たせる様になるため、ストッパー１１の高さ寸法を、１／２Ｆ以下に設定することにより、取り付け位置を図６（ａ）（ｄ）に示す様な取り付け位置を左右でずらす必要は無くなり、以て、図７（ａ）のストッパー当て部材１９も省略可能となる。
【００３８】
図９のＳの最大寸法は、特に規定しないがＳ寸法が大きくなるほど、正逆積み重ねたときの保管有効内法高さがをＳ寸法の２倍高くすることが出来るが、逆にネスティングした時、１ネスティング群（例えば７台を入れ子収納したときその７台を１群と呼ぶと）につきＳが高くなった分だけ高くなり、輸送コストなどに影響することもあり個別に総合的に検討して決定すると良い。
【００３９】
なお、図１、図４、図５等において、前柱上面の積み重ね突起９と正逆積み重ね時における突起９ａとは、同一品を使用しても良い。また、本発明における実施形態における逆立・嵌合兼用脚１３と逆使用専用脚１３ａについても同様に同一品を使用しても良い。
【図面の簡単な説明】
【００４０】
【図１】本発明に関わる入れ子式ラックＲをしめす等角図である。
【図２】（ａ）は、図１のＸ−Ｘ線断面図、（ｂ）は、ラックＲの平面図である。
【図３】（ａ）は、ラックＲの正面立面図、（ｂ）は、ラックＲの背面立面図
【図４】（ａ）は、ラックＲの左側面立面図、（ｂ）は、ラックＲの右側面立面図である。
【図５】（ａ）は、図４の矢印Ｃの拡大図であり、（ｂ）は、（ａ）の正面図、（ｃ）は、（ａ）の平面図である。（ｄ）は、図４矢印Ａの拡大図、（ｅ）は、（ｄ）の正面図、（ｆ）は、（ｄ）の平面図である。
【図６】（ａ）は、図３矢印Ｅの拡大図、（ｂ）は、（ａ）の側面図、（ｃ）は、（ａ）の平面図である。（ｄ）は、図３矢印Ｆの拡大図であり、（ｅ）は、（ｄ）の側面図、（ｆ）は、（ｄ）の平面図である。
【図７】（ａ）は、図３矢印Ｇの拡大図であり、（ｂ）は、（ａ）の側面図、（ｃ）は、（ａ）の平面図である。（ｄ）は、ラックＲを正状態で積み重ねた時の下段ラックの背面視左上部付近を示す立面図である。
【図８】ラックＲをネスティングした時の右側面上部の部材の関係を示す立面図であり、（ｂ）は、（ａ）同様、左側面上部の部材の関係を示す立面図である。
【図９】正逆積み重ねる場合におけるラックＲの右側面上部における各部材の嵌め合いや位置関係を示す立面図であり、（ａ）は、積み重ね直前を、（ｂ）は、積み重ね完了じを示す。
【図１０】（ａ）は、ラックＲの逆使用時に於ける左側面下部に補助脚１８Ｒを設けない場合の荷重支持の関係を示す立面図であり、（ｂ）は、同部分に補助脚１８Ｒを取り付けた場合の本発明における実施形態を示す立面図である。
【図１１】（ａ）は、サイド上梁の前面寄り上面部の平面図であり、上側の図は、ラックＲの左側、下側の図は、右側を示す。（ｂ）は、正逆積み重ねたときの左右のサイド上梁が重なった場合に於ける平面図で、補助脚１８Ｒ、１８Ｌの関係を示す図面。
【図１２】ラックＲを正状態で２段積みしたときの等角図
【図１３】ラックＲを正状態で２台をネスティングした時の等角図
【図１４】ラックＲを正逆積み重ねた場合の等角図
【図１５】ラックＲを正逆積み重ねる直前における等角図で、部材の嵌り込む関係や部材の位置関係を示すための等角図
【図１６】（ａ）は、逆立脚の高さをネスティングピッチ寸法Ｐにした時の左側面上部のラックＲの構造実施形態を示す立面図で、併せてネスティング時における部材の関係を示す。（ｂ）は、（ａ）と同条件時における正逆積み重ねた時の各部材の関係を示す。（ｃ）は、（ａ）同様の条件下での背面視右上部の構造実施形態を示す立面図、（ｄ）は、（ｃ）を正逆積み重ねた場合の各部材の関係を示す。
【図１７】逆使用時のラックＲの等角図
【符号の説明】
【００４１】
Ｒ          入れ子式ラック
Ｓ          正逆積み重ね時の上梁上面間の隙間寸法
Ｔ          ラックＲ前柱に作用する垂直荷重
Ｇ          前柱下面のネスティング時の着地位置
Ｆ          積載床下面と前柱及び、後柱下端面間の距離でフォークリフト等の荷役機械等が使用する空間を形成し、ネスティング時の高さ方向のせり上がり寸法Ｐの決定する元寸法となる。
Ｐ          ネスティング時の高さ方向のせり上がり寸法
Ｍ          ネスティング時の水平保管を確保するためのスペーサー取り付け範囲
１          前柱
２          後柱
３          背面上梁
４          サイド上梁
５          積載床の前面下梁
６          積載床の背面下梁
７          正逆積み重ね時突起の水平面
９          前柱構造の積み重ね用突起
９ａ        正逆積み重ね時突起
１０        前柱構造のネスティングスペーサー
１１        ストッパー
１２        前柱構造の前柱の凹み部
１３        逆立・嵌合兼用脚
１３ａ      逆立専用脚
１４        前柱構造のネスティングスペーサーの凹み部
１５        積載床のサイド下梁
１６        積載床の中横梁
１７        積載床の中縦小梁
１８Ｒ      逆立用補助脚右勝手  
１８Ｌ      逆立用補助脚左勝手  
１９        背面ストッパー当て部材
２４        積載床
２５        前柱構造
２６        積み重ね時の後柱接地部分
【図１】
2012062132.tif 000003
【図２】
2012062132.tif 000004
【図３】
2012062132.tif 000005
【図４】
2012062132.tif 000006
【図５】
2012062132.tif 000007
【図６】
2012062132.tif 000008
【図７】
2012062132.tif 000009
【図８】
2012062132.tif 000010
【図９】
2012062132.tif 000011
【図１０】
2012062132.tif 000012
【図１１】
2012062132.tif 000013
【図１２】
2012062132.tif 000014
【図１３】
2012062132.tif 000015
【図１４】
2012062132.tif 000016
【図１５】
2012062132.tif 000017
【図１６】
2012062132.tif 000018
【図１７】
2012062132.tif 000019
【手続補正書】
【提出日】平成23年9月29日(2011.9.29)
【手続補正１】
【補正対象書類名】明細書
【補正対象項目名】０００４
【補正方法】変更
【補正の内容】
【０００４】
特許文献１のラックは、正立状態のラックに逆立状態のラックを積み重ねる（以下、「単に正逆積み重ね」という。）場合、専用の積み重ね金具を必要とするため、急な正逆積み重ねに対応する為には、常にこの積み重ね金具をそろえておく必要があり、また、正逆積み重ねには、上記した金具の装着等に手間がかかるなど問題が有った。さらに、特許文献１のラックは、逆状態での使用には対応していないため、正逆積み重ね使用時における上段部積載床の保管スペースの幅寸法に対する制限があった。
【手続補正２】
【補正対象書類名】明細書
【補正対象項目名】０００５
【補正方法】変更
【補正の内容】
【０００５】
本発明のラックは、同一構造のラックで正・逆いずれの状態でも積み重ねが出来、不要なとき入れ子式に保管できるラックであり、一切他の金具等を使用することなく正状態のラックを下段とし逆状態のラックを上段とした安定的な積み重ねを可能にするラックを提供することにある。正逆積み重ねを可能にする目的は、正逆積み重ねによって生み出される飛躍的に高い保管空間により、製作や輸送に手間やコストがかかる背高のラックを製作することなく直ちに背高製品の保管に対応することが出来ることにある。
【手続補正３】
【補正対象書類名】明細書
【補正対象項目名】０００９
【補正方法】変更
【補正の内容】
【０００９】
（４）ラックを上下逆にして使用する、いわゆる逆使用するため、サイド上梁上面４ａ若しくは、サイド上梁上面４ａと背面上梁上面３ａに逆使用時土間面等と接地する脚１３または、１３ａをラックの左右に最低２ヶ処宛（補助的な役割の脚１８Ｒ，１８Ｌを除き１台分最低４ヶ処となる。）設ける。
【手続補正４】
【補正対象書類名】明細書
【補正対象項目名】００１０
【補正方法】変更
【補正の内容】
【００１０】
（５）正状態のラックの上段に逆状態の同一構造のラックを一切他の金具を使用することなく安定的に積み重ねるため次の要件を満足すること。
（５）−１  前項（４）の逆立用の脚１３または、１３ａは、正逆積み重ね時に互いに干渉しない位置に取り付ける。
（５）−２  サイド上梁４の上面、または、サイド上梁４と背面上梁３の上面に正逆積み重ね用突起９ａを１台分最低２ヶ処（必ずしも片側１ヶ処の必要はない。）取り付ける。
（５）−３  逆立用脚のうち２ヶ処分は、前項の突起９ａが嵌り込む凹み部を有し、これを逆立・嵌合兼用脚１３とする。この逆立・嵌合兼用脚１３と前項の突起９ａは、ラックの幅方向の中心線に対し対称位置に相対して取り付け、正逆積み重ね時、逆立・嵌合兼用脚１３と突起９ａが嵌り込むよう位置設定を行っていること。
（５）−４  逆立・嵌合兼用脚１３および逆立用脚１３ａの高さは、特に規定しないが、実施上最も望ましい高さは、最低高さでもあり、前柱の積み重ね用突起９の突き出し部分高さの２倍から同脚に嵌合する突起９ａの１ヶ分の板厚を、差し引いた寸法である。これにより、正逆積み重ねた時上下の同突起９同士が接地し安定した積み重ね性が確保される。逆立・嵌合兼用脚１３および逆立用脚１３ａの高さを床下寸法Ｆに等しい高さに設定する事により、入れ子保管時の水平保管の役割を果たし、以て（１）−２項のラックを入れ子式保管する際の水平保管を可能にする部品１０の機能を兼用する事も可能である。
【手続補正５】
【補正対象書類名】明細書
【補正対象項目名】００１７
【補正方法】変更
【補正の内容】
【００１７】
前記した様に２４は、積載床であり、周辺材である前面下梁５、サイド下梁１５、１５、背面下梁６と井桁を構成する中横梁１６及び中縦梁１７の組み合わせからなり、本発明のラックＲは、正逆いずれでも使用可能であるため積載床２４の上水平面・下水平面は、共に保管商品の積載面となるので同一にすることが必須となり、それぞれ上下同じ断面形状を有する角形鋼管で構成される。
【手続補正６】
【補正対象書類名】明細書
【補正対象項目名】００２２
【補正方法】変更
【補正の内容】
【００２２】
図８（ａ）（ｂ）に示す様に、ネスティングスペーサー１０の下面は、積み重ね用突起９ａがはまり込む凹み部１４を有しているため入れ子式収納時外部荷重等により崩落しにくくなり安定的に収納保管できる。本実施形態においては、これがネスティング時の水平を確保するための必須条件であるが、この方式が後述する様に唯一の方法ではない。
【手続補正７】
【補正対象書類名】明細書
【補正対象項目名】００２８
【補正方法】変更
【補正の内容】
【００２８】
図１０は、補助脚を必要とすることを示す説明図であり、（ａ）は、右側面サイド上梁４に補助脚１８Ｒを取り付けない場合の状態を示している。（ｂ）は、本発明の実施形態である。図からも解る様に荷重支持位置までの距離（同図（ａ）のケースでのＬ，同（ｂ）ケースでのＬ１においてＬ＞Ｌｌ）を小さし積載荷重の重心が大きく前方に偏った場合などの安定支持を得るため荷重支点を少しでも前方にすることを目的としている。図中の  ▼、▲  印は、それぞれ上部荷重の支持点をまた、「Ｔ」は、上部荷重を示している。
【手続補正８】
【補正対象書類名】明細書
【補正対象項目名】００３２
【補正方法】変更
【補正の内容】
【００３２】
実施形態により、逆立脚１３，１３ａの高さが床下寸法Ｆに等しいときは、ストッパー１１は、図１６（ｄ）に示すように、ストッパーの高さ寸法を小さくしても機能を満足できるため、この位置移動を実施する必要がない。
【手続補正９】
【補正対象書類名】明細書
【補正対象項目名】００３４
【補正方法】変更
【補正の内容】
【００３４】
正逆積み重ねると、右側のサイド上梁を例にとると右側のサイド上梁上面に、左側のサイド上梁を上下逆にして重ねることになる。図９（ａ）は、右側面上部に於ける正逆積み重ね積み重ねる直前の拡大側立面図であり、（ｂ）は、積み重ね完了後の右側面前面上部の拡大側立面図である。図に示す様に、前柱上部の積み重ね突起９を除き、脚部材１３と１３ａは一切干渉することなく配置する必要があり、正逆積み重ね時にずれ止めとなる逆・嵌合兼用脚１３と嵌合突起９ａは、ラックＲの幅方向の中心線を対称軸として相対する位置に配置することが求められる。１３，１３ａは、逆使用時の上部荷重支持する脚としての機能を持つので、可能な限りラックの前後方向外寄りに取り付ける必要がある。なお、補助脚１８Ｒ，１８Ｌについては、前述したのでここでは省略する。
【手続補正１０】
【補正対象書類名】明細書
【補正対象項目名】００３８
【補正方法】変更
【補正の内容】
【００３８】
図９ｂおよび図１４のＳの最大寸法は、特に規定しないがＳ寸法が大きくするほど、正逆積み重ねたときの保管有効内法高さをＳ寸法分高くすることが出来るが、逆にネスティングした時、１ネスティング群（例えば７台を入れ子収納したときその７台を１ネスティング群と呼ぶ）につきＳが高くなった分だけ高くなり、輸送コストなどに影響することもあり個別に総合的に検討して決定すると良い。
【手続補正１１】
【補正対象書類名】明細書
【補正対象項目名】００４０
【補正方法】変更
【補正の内容】
【００４０】
【図１】本発明に関わる入れ子式ラックＲをしめす等角図である。
【図２】（ａ）は、図１のＸ−Ｘ線断面図、（ｂ）は、ラックＲの平面図である。
【図３】（ａ）は、ラックＲの正面立面図、（ｂ）は、ラックＲの背面立面図
【図４】（ａ）は、ラックＲの左側面立面図、（ｂ）は、ラックＲの右側面立面図である。
【図５】（ａ）は、図４の矢印Ｃの左側面部分を削除した状態の拡大図であり、（ｂ）は、（ａ）の正面図、（ｃ）は、（ａ）の平面図である。（ｄ）は、図４矢印Ａの右側面部分を削除した状態の拡大図、（ｅ）は、（ｄ）の正面図、（ｆ）は、（ｄ）の平面図である。
【図６】（ａ）は、図３矢印Ｅの拡大図、（ｂ）は、（ａ）の側面図、（ｃ）は、（ａ）の平面図である。（ｄ）は、図３矢印Ｆの拡大図であり、（ｅ）は、（ｄ）の側面図、（ｆ）は、（ｄ）の平面図である。
【図７】（ａ）は、図３矢印Ｇの拡大図であり、（ｂ）は、（ａ）の側面図、（ｃ）は、（ａ）の平面図である。（ｄ）は、ラックＲを正状態で積み重ねた時の下段ラックの背面視左上部付近を示す立面図である。
【図８】ラックＲをネスティングした時の右側面上部の部材の関係を示す立面図であり、（ｂ）は、（ａ）同様、左側面上部の部材の関係を示す立面図である。
【図９】正逆積み重ねる場合におけるラックＲの右側面上部における各部材の嵌め合いや位置関係を示す立面図であり、（ａ）は、積み重ね直前を、（ｂ）は、積み重ね完了時を示す。
【図１０】（ａ）は、ラックＲの逆使用時に於ける左側面下部に補助脚１８Ｒを設けない場合の荷重支持の関係を示す立面図であり、（ｂ）は、同部分に補助脚１８Ｒを取り付けた場合の本発明における実施形態を示す立面図である。
【図１１】（ａ）は、サイド上梁の前面寄り上面部の平面図であり、上側の図は、ラックＲの左側、下側の図は、右側を示す。（ｂ）は、正逆積み重ねたときの左右のサイド上梁が重なった場合に於ける平面図で、補助脚１８Ｒ、１８Ｌの関係を示す図面。
【図１２】ラックＲを正状態で２段積みしたときの等角図
【図１３】ラックＲを正状態で２台をネスティングした時の等角図
【図１４】ラックＲを正逆積み重ねた場合の等角図
【図１５】ラックＲを正逆積み重ねる直前における等角図で、部材の嵌り込む関係や部材の位置関係を示すための等角図
【図１６】（ａ）は、逆立脚の高さを床下寸法Ｆになる様設定した時の左側面上部のラックＲの構造実施形態を示す立面図で、併せてネスティング時における部材の関係を示す。（ｂ）は、（ａ）と同条件時における正逆積み重ねた時の各部材の関係を示す。（ｃ）は、（ａ）同様の条件下での背面視右上部の構造実施形態を示す立面図、（ｄ）は、（ｃ）を正逆積み重ねた場合の各部材の関係を示す。
【図１７】逆使用時のラックＲの等角図
【手続補正１２】
【補正対象書類名】明細書
【補正対象項目名】００４１
【補正方法】変更
【補正の内容】
【００４１】
Ｒ          入れ子式ラック
Ｓ          正逆積み重ね時の上梁上面間の隙間寸法
Ｔ          ラックＲ前柱に作用する垂直荷重
Ｇ          前柱下面のネスティング時の着地位置
Ｆ          床下寸法
Ｐ          ネスティング時の高さ方向のせり上がり寸法
Ｍ          ネスティング時の水平保管を確保するためのスペーサー取り付け範囲
１          前柱
２          後柱
３          背面上梁
４          サイド上梁
５          積載床の前面下梁
６          積載床の背面下梁
７          正逆積み重ね用突起の水平面
９          前柱構造の積み重ね用突起
９ａ        正逆積み重ね用突起
１０        前柱構造のネスティングスペーサー
１１        ストッパー
１２        前柱構造の前柱の凹み部
１３        逆立・嵌合兼用脚
１３ａ      逆立専用脚
１４        前柱構造のネスティングスペーサーの凹み部
１５        積載床のサイド下梁
１６        積載床の中横梁
１７        積載床の中縦小梁
１８Ｒ      逆立用補助脚右勝手  
１８Ｌ      逆立用補助脚左勝手  
１９        背面ストッパー当て部材
２４        積載床
２５        前柱構造
２６        積み重ね時の後柱接地部分
【手続補正１４】
【補正対象書類名】図面
【補正対象項目名】図１３
【補正方法】変更
【補正の内容】
【図１３】
2012062132.tif 000020
【手続補正１５】
【補正対象書類名】特許請求の範囲
【補正対象項目名】全文
【補正方法】変更
【補正の内容】
【特許請求の範囲】
【請求項１】
同一構造のラックを正立・逆立いずれでも積み重ねて使用出来また、不要時には、入れ子式収納保管が可能なラックであって、一切他の金具等使用することなく正逆積み重ね可能な下記の基本構造および（１）〜（５）の要件を具備する入れ子式ラック
本発明の入れ子式ラックの基本構造は、前後４隅に柱を配置し、柱最下面から少し上部に井桁状の積載床を取り付け４隅の柱材を結合すると共に、柱材上部には左右後柱上端部間に背面上梁を、また、前柱背面寄りから背面上梁に亘ってサイド上梁が架設されることにより主要骨組みが形成されている。前記基本構造を基に本発明の細部の要件を列記する。
（１）同一構造のラックの入れ子式収納保管を可能にするため次の要件を満足すること。
（１）−１ 前柱の内法間寸法およびサイド上梁内法間寸法を後柱外法間寸法および積載床幅寸法より大きくする。
（１）−２  入れ子式保管したとき上段のラックを水平に保つためにラック前面部側に水平保管を可能にする部品を設けていること。この水平に保つ部品は、前柱の背面側サイド上梁の下側、または、サイド上梁前面寄り上面のいずれかに設ける。なお、ラック背面部は、積載床の上面に後柱の下端面が接地するので特に考慮しなくても良い。
（２）同一構造のラックの積み重ね保管を可能にするため次の条件を満足すること。
（２）−１  左右前柱上端部には、積み重ね用突起を設け、前柱下端面には、積み重ね用突起が嵌合する凹み部を設ける。
（２）−２  背面部には、左右の後柱の上端部間に背面上梁を設け、背面上梁上面水平位置は、積み重ねた時にラックの水平を確保するため、前柱上面積み重ね突起の水平面と同一水平面上にあること。同一水平面が確保出来ない場合は、背面上梁に高さ調整部材を敷設するなどして対応しても良い。
（２）−３  背面上梁の両端部付近外面には、積み重ね時の位置決めや移動止めのためのストッパーを設けていること。
（３）ラックを正立状態で使用し、フォークリフト等の荷役設備を使用して搬送するため、積載床下面と前後柱の下端面間に適切な空間が確保されていること。
（４）ラックを上下逆にして使用する、いわゆる逆使用するため、サイド上梁上面若しくは、サイド上梁と背面上梁上面に逆使用時土間面等と接地する脚をラックの左右に補助的な役割の脚を除き最低２ヶ処宛（１台分最低４ヶ処となる。）設ける。
（５）正状態のラックの上段に逆状態の同一構造のラックを一切他の金具を使用することなく安定的に積み重ねるため次の要件を満足すること。
（５）−１  前項（４）の逆立用の脚は、正逆積み重ね時に互いに干渉しない位置に取り付ける。
（５）−２  サイド上梁の上面、または、サイド上梁と背面上梁の上面に正逆積み重ね用突起を１台分最低２ヶ処（必ずしも片側１ヶ処の必要はない。）取り付ける。
（５）−３  逆立用脚のうち前項に記載の突起に相当する分（最低2ヶ処）は、突起が嵌り込む凹み部を有し、これを逆立・嵌合兼用脚とする。この逆立・嵌合兼用脚と前項に記載の突起は、ラックの幅方向の中心線に対し対称位置に相対して取り付け、正逆積み重ね時、逆立・嵌合兼用脚と突起が嵌り込むよう位置設定を行っていること。
（５）−４  逆立・嵌合兼用脚および逆立用脚の高さは、特に規定しないが、実施上最も望ましい高さは、最低高さでもあり、前柱の積み重ね用突起の突き出し部分高さの２倍から同脚に嵌合する突起の１ヶ分の板厚を、差し引いた寸法である。これにより、正逆積み重ねた時上下の同突起同士が接地し安定した積み重ね性が確保される。逆立・嵌合兼用脚および逆立用脚の高さを床下寸法に等しい高さに設定する事により、入れ子保管時の水平保管の役割を果たし、以て（１）−２項のラックを入れ子式保管する際の水平保管を可能にする部品の機能を兼用する事も可能である。